(57)【要約】【課題】ポンプを収容した本体と、この本体に着脱可能に装着される円筒状のカフユニットとを備えた血圧計であって、部品交換が簡単に行われ、部品交換が行われたとしてもユーザに対して違和感を与えることがないものを提供すること。【解決手段】本体２は、上方へ開いた円弧状断面を有し、この円弧状断面に垂直な方向Ｃに沿ってカフユニット５をスライド可能に受けるスライド受け部４を備える。カフユニット５は、内周面に沿って流体袋を有する円筒状のカフ構造体７と、下方へ開いた円弧状断面を有し、カフ構造体７と一体になるように着脱可能に装着されてカフ構造体７の上半分を覆うカバー６とを備える。スライド受け部４に沿ってカフユニット５がスライドされるとき、スライド受け部４の円弧状断面の両側の上縁４ａ１，４ａ２が、カバー６の円弧状断面の両側の下縁６ａ１，６ａ２に当接してカフユニット５の重みを支えるようになっている。【選択図】図１０
2019180849.tif 000002
【特許請求の範囲】
【請求項１】
ポンプを収容した本体と、この本体に着脱可能に装着される円筒状のカフユニットとを備えた血圧計であって、
上記本体は、
上方へ開いた円弧状断面を有し、この円弧状断面に垂直な方向に沿って上記カフユニットをスライド可能に受けるスライド受け部を備え、
このスライド受け部は、上記カフユニットがスライドされるスライド方向に関して、水平に、または、スライド終端側へ向かって次第に高さが低くなる態様で傾斜しており、
上記カフユニットは、
棒状の被測定部位が挿入されるように円筒状をなし、内周面に沿って流体袋を有するカフ構造体と、
下方へ開いた円弧状断面を有し、上記カフ構造体と一体になるように着脱可能に装着されて上記カフ構造体の少なくとも上半分を覆うカバーとを備え、
上記スライド受け部に沿って上記カフユニットがスライドされるとき、上記スライド受け部の円弧状断面の両側の上縁が、上記カバーの円弧状断面の両側の下縁に当接して上記カフユニットの重みを支えるようになっていることを特徴とする血圧計。
【請求項２】
請求項１に記載の血圧計において、
上記スライド受け部は、上記スライド終端側に相当する部位に、上記ポンプに連通する第１の流体コネクタを有し、
上記カフユニットは、上記第１の流体コネクタに対向する部位に、上記流体袋に連通する第２の流体コネクタを有し、
上記スライド受け部に沿って上記スライド終端側へ向かって上記カフユニットがスライドして装着されると、上記第１の流体コネクタと上記第２の流体コネクタとが流体流通可能かつ着脱可能に嵌合して接続されるようになっていることを特徴とする血圧計。
【請求項３】
請求項１または２に記載の血圧計において、
上記カフユニットは、
上記カフ構造体に上記カバーが一体になるように着脱可能に装着するために、
上記カフ構造体の外周面の上半分に沿って、血圧測定時に被測定者に面して配される前面側からこの前面側とは反対の後面側へ向かって、上記カバーがスライドされることによって、
上記カフ構造体の軸方向に関して上記カフ構造体と上記カバーとを着脱可能に係合してロックする第１係合部と、
上記カフ構造体の径方向および周方向に関して上記カフ構造体と上記カバーとの間の相対的移動を規制する第２係合部とを備えたことを特徴とする血圧計。
【請求項４】
請求項３に記載の血圧計において、
上記第１係合部は、ロックの完了を表す音を生ずるように構成されていることを特徴とする血圧計。
【請求項５】
請求項３または４に記載の血圧計において、
上記カフ構造体と上記カバーとの一方または両方に、上記カフ構造体に上記カバーが装着される際の相対的なスライドの向きを示すマークが設けられていることを特徴とする血圧計。
【請求項６】
請求項１から５までのいずれか一つに記載の血圧計において、
上記スライド受け部に沿って上記スライド終端側へ向かって上記カフユニットがスライドされることによって、上記スライド方向に関して上記本体と上記カフユニットとを着脱可能に係合してロックするロック部を備えたことを特徴とする血圧計。
【請求項７】
請求項６に記載の血圧計において、
上記ロック部は、ロックの完了を表す音を生ずるように構成されていることを特徴とする血圧計。
【請求項８】
請求項１から７までのいずれか一つに記載の血圧計において、
上記カバーの血圧測定時に被測定者に面して配される前面側の端面は、上記カフ構造体の前面側の端面を覆うように、円環状になっていることを特徴とする血圧計。
【請求項９】
請求項１から８までのいずれか一つに記載の血圧計において、
上記本体は、
この本体に上記カフユニットが装着された状態で、
上記ポンプから上記流体袋に流体を供給して、上記カフユニットに挿入された被測定部位を圧迫する制御を行う圧力制御部と、
上記流体の圧力に基づいて血圧を算出する血圧算出部と
を備えたことを特徴とする血圧計。
【発明の詳細な説明】
【技術分野】
【０００１】
この発明は血圧計に関し、より詳しくは、ポンプを収容した本体と、この本体に着脱可能に装着される円筒状のカフユニットとを備えた血圧計に関する。
【背景技術】
【０００２】
従来、この種の血圧計としては、例えば特許文献１（特開２００５−３３４０４８号公報）に開示されているように、ポンプを収容した本体と、この本体に対して着脱可能に装着される円筒状のカフユニットとを備えたものが知られている。カフユニットの内周面には、布袋やゴム袋からなるカフ部が設けられている。血圧測定時には、被測定者がカフユニットに上腕を挿入した状態で、本体のポンプからカフユニットのカフ部へエアが供給されて、上腕が圧迫される。これにより、血圧測定が行われる。
【先行技術文献】
【特許文献】
【０００３】
【特許文献１】特開２００５−３３４０４８号公報
【発明の概要】
【発明が解決しようとする課題】
【０００４】
ところで、上述の血圧計が、長年にわたって使用されると、例えば流体袋（布袋やゴム袋からなるカフ部、空気袋を指す。）が劣化して、漏気などの不具合が生ずることがある。その場合、従来の一般的な対処としては、費用節約の観点から、カフユニットのみが新品に交換される。
【０００５】
ここで、長年にわたる使用の結果、通常、本体には退色が生じている。このため、そのような本体に新品のカフユニットが装着されたとき、退色した本体と新品のカフユニットとの間の色味の違いが、ユーザに対して違和感を与えることがある。
【０００６】
そこで、この発明の課題は、ポンプを収容した本体と、この本体に着脱可能に装着される円筒状のカフユニットとを備えた血圧計であって、部品交換が簡単に行われ、部品交換が行われたとしてもユーザに対して違和感を与えることがないものを提供することにある。
【課題を解決するための手段】
【０００７】
上記課題を解決するため、この開示の血圧計は、
ポンプを収容した本体と、この本体に着脱可能に装着される円筒状のカフユニットとを備えた血圧計であって、
上記本体は、
上方へ開いた円弧状断面を有し、この円弧状断面に垂直な方向に沿って上記カフユニットをスライド可能に受けるスライド受け部を備え、
このスライド受け部は、上記カフユニットがスライドされるスライド方向に関して、水平に、または、スライド終端側へ向かって次第に高さが低くなる態様で傾斜しており、
上記カフユニットは、
棒状の被測定部位が挿入されるように円筒状をなし、内周面に沿って流体袋を有するカフ構造体と、
下方へ開いた円弧状断面を有し、上記カフ構造体と一体になるように着脱可能に装着されて上記カフ構造体の少なくとも上半分を覆うカバーとを備え、
上記スライド受け部に沿って上記カフユニットがスライドされるとき、上記スライド受け部の円弧状断面の両側の上縁が、上記カバーの円弧状断面の両側の下縁に当接して上記カフユニットの重みを支えるようになっていることを特徴とする。
【０００８】
ここで、カフユニットに関して「下方」、「上半分」における「下」、「上」とは、上記カフユニットが上記本体に装着された状態で、それぞれ「下」、「上」になる側を指している。
【０００９】
この開示の血圧計では、血圧測定可能な状態にセットアップするために、まず、カフ構造体に対してカバーが一体になるように着脱可能に装着されて、カフユニットが構成される。次に、上記スライド受け部（円弧状断面を有する）に沿って上記カフユニットがスライドして装着される。このとき、上記スライド受け部の円弧状断面の両側の上縁が、上記カバーの円弧状断面の両側の下縁に当接して上記カフユニットの重みを支えるようになっている。したがって、例えばこの血圧計をセットアップするサービスマン、機器担当者、ユーザなど（以下「サービスマン等」という。）は、スライド時に上記カフユニットの重みを自身の手で支える必要が無く、上記カフユニットをスライド終端側へ向かって押す（スライドさせる）だけで、上記カフユニットを楽に装着できる。特に、上記スライド受け部は上記スライド終端側へ向かって次第に高さが低くなる態様で傾斜している場合、サービスマン等は、上記カフユニットへの重力を利用できるので、上記カフユニットをさらに楽に装着できる。
【００１０】
血圧測定時には、被測定者が上記カフユニットに棒状の被測定部位（上腕、手首、指、下肢など）を挿入した状態で、上記本体のポンプから上記カフユニットの流体袋へ流体が供給されて、上記被測定部位が圧迫される。これにより、血圧測定が行われる。なお、「流体」は、典型的には空気であるが、他の気体、または液体であっても良い。
【００１１】
長年にわたる使用の結果、例えば流体袋が劣化して、漏気などの不具合が生じた場合、この開示の血圧計では、部品として、上記カフユニットのうち上記カフ構造体のみが交換される。すなわち、まず、上記スライド受け部から上記カフユニットが装着時の向き（スライド終端側へ向かう向き）とは逆向きにスライドして取り外される。このとき、上記スライド受け部の円弧状断面の両側の上縁が、上記カバーの円弧状断面の両側の下縁に当接して上記カフユニットの重みを支えるようになっている。したがって、サービスマン等は、スライド時に上記カフユニットの重みを自身の手で支える必要が無く、上記カフユニットを楽に取り外すことができる。次に、上記カフユニットの上記カバーが上記カフ構造体から取り外される（取り外し後には、不具合が生じた上記カフ構造体は、例えば廃棄処分される。）。一方、新品のカフ構造体が用意される。この新品のカフ構造体に対して上記カバー（元のカバー）が一体になるように着脱可能に装着されて、新たなカフユニットが構成される。次に、取り外し時とは逆の手順で、上記スライド受け部に沿って上記新たなカフユニットがスライドして装着される。このとき、上記スライド受け部の円弧状断面の両側の上縁が、上記カバーの円弧状断面の両側の下縁に当接して上記カフユニットの重みを支えるようになっている。したがって、例えばこの血圧計をセットアップするサービスマン等は、スライド時に上記カフユニットの重みを自身の手で支える必要が無く、上記カフユニットを上記スライド終端側へ向かって押す（スライドさせる）だけで、上記カフユニットを楽に装着できる。このように、この開示の血圧計では、部品として、上記カフユニットのうち上記カフ構造体のみが簡単に交換される。セットアップされた状態では、上記新品のカフ構造体は、上記カバー（元のカバー）と上記スライド受け部とによって覆われる。
【００１２】
ここで、上記カフユニットの上記カバー（元のカバー）は再利用される。長年にわたる使用の結果、上記本体に退色が生じているとすれば、上記カバー（元のカバー）にも同様に退色が生じているはずである。したがって、上記本体と上記カバー（元のカバー）との間の色味の違いは無い。よって、この血圧計によれば、部品（カフ構造体）の交換が行われたとしても、ユーザに対して違和感を与えることがない。
【００１３】
一実施形態の血圧計では、
上記スライド受け部は、上記スライド終端側に相当する部位に、上記ポンプに連通する第１の流体コネクタを有し、
上記カフユニットは、上記第１の流体コネクタに対向する部位に、上記流体袋に連通する第２の流体コネクタを有し、
上記スライド受け部に沿って上記スライド終端側へ向かって上記カフユニットがスライドして装着されると、上記第１の流体コネクタと上記第２の流体コネクタとが流体流通可能かつ着脱可能に嵌合して接続されるようになっていることを特徴とする。
【００１４】
この一実施形態の血圧計では、上記スライド受け部に沿って上記スライド終端側へ向かって上記カフユニットがスライドして装着されると、上記第１の流体コネクタと上記第２の流体コネクタとが流体流通可能かつ着脱可能に嵌合して接続される。血圧測定時には、被測定者が上記カフユニットに被測定部位を挿入した状態で、上記本体のポンプから上記第１、第２の流体コネクタを通して上記カフユニットの流体袋へ流体が供給されて、被測定部位が圧迫される。これにより、血圧測定が行われる。ここで、上方へ開いた円弧状断面を有する上記スライド受け部に円筒状の上記カフユニットが受けられた装着状態では、上記スライド受け部と上記カフユニットとの間に上記スライド方向に対して垂直な方向の外力が加わり難く、捻れが発生し難い。したがって、上記第１、第２の流体コネクタ間の流体流通可能な接続の信頼性が高まる。逆に、上記スライド受け部から上記カフユニットが装着時の向きとは逆向きにスライドして取り外されると、上記第１、第２の流体コネクタ間の接続は解除される。このように、上記スライド受け部に対する上記カフユニットの着脱によって、上記第１の流体コネクタと上記第２の流体コネクタとが着脱される。したがって、サービスマン等は、この血圧計のセットアップおよび／または分解を簡単に行うことができる。
【００１５】
一実施形態の血圧計では、
上記カフユニットは、
上記カフ構造体に上記カバーが一体になるように着脱可能に装着するために、
上記カフ構造体の外周面の上半分に沿って、血圧測定時に被測定者に面して配される前面側からこの前面側とは反対の後面側へ向かって、上記カバーがスライドされることによって、
上記カフ構造体の軸方向に関して上記カフ構造体と上記カバーとを着脱可能に係合してロックする第１係合部と、
上記カフ構造体の径方向および周方向に関して上記カフ構造体と上記カバーとの間の相対的移動を規制する第２係合部とを備えたことを特徴とする。
【００１６】
カフ構造体の「軸方向」とは、上記カフ構造体の中心軸に沿った方向を指す。カフ構造体の「径方向」とは、上記カフ構造体の中心軸に対して垂直な方向を指す。カフ構造体の「周方向」とは、上記カフ構造体の中心軸の周りの方向を指す。
【００１７】
この一実施形態の血圧計では、上記カフ構造体の外周面の上半分に沿って、血圧測定時に被測定者に面して配される前面側からこの前面側とは反対の後面側へ向かって、で上記カバーがスライドされることによって、第１係合部は、上記カフ構造体の軸方向に関して上記カフ構造体と上記カバーとを着脱可能に係合してロックする。これとともに、第２係合部は、上記カフ構造体の径方向および周方向に関して上記カフ構造体と上記カバーとの間の相対的移動を規制する。これにより、サービスマン等は、上記カフ構造体の外周面の上半分に沿って上記カバーをスライドさせるという簡単な操作でもって、上記カフ構造体に上記カバーが一体になるように着脱可能に装着して、上記カフユニットを一体に構成できる。逆に、上記カフ構造体から上記カバーを取り外す際には、上記第１係合部による軸方向のロックが解除され、上記カフ構造体の外周面の上半分で上記中心軸に沿って、上記後面側から上記前面側へ向かって上記カバーがスライドされる。これにより、上記カフ構造体から上記カバーが取り外され得る。
【００１８】
一実施形態の血圧計では、上記第１係合部は、ロックの完了を表す音を生ずるように構成されていることを特徴とする。
【００１９】
この一実施形態の血圧計では、サービスマン等は、上記第１係合部によるロックの完了を表す音を聞くことによって、上記カフ構造体に上記カバーが正しく装着されたことを知ることができる。この結果、サービスマン等は、この血圧計のセットアップを確実に進めてゆくことができる。
【００２０】
一実施形態の血圧計では、上記カフ構造体と上記カバーとの一方または両方に、上記カフ構造体に上記カバーが装着される際の相対的なスライドの向きを示すマークが設けられていることを特徴とする。
【００２１】
この一実施形態の血圧計では、サービスマン等は、上記カフ構造体に上記カバーを装着する際に、上記マークを見ることによって、上記カフ構造体の外周面の上半分に沿って上記カバーを正しい向きに相対的にスライドさせることができる。したがって、サービスマン等は、上記カフ構造体に上記カバーを正しく、より簡単に装着できる。
【００２２】
一実施形態の血圧計では、上記スライド受け部に沿って上記スライド終端側へ向かって上記カフユニットがスライドされることによって、上記スライド方向に関して上記本体と上記カフユニットとを着脱可能に係合してロックするロック部を備えたことを特徴とする。
【００２３】
この一実施形態の血圧計では、上記スライド受け部に沿って上記スライド終端側へ向かって上記カフユニットがスライドされることによって、ロック部は、上記スライド方向に関して上記本体と上記カフユニットとを着脱可能に係合してロックする。これにより、サービスマン等は、上記スライド受け部に沿って上記スライド終端側へ向かって上記カフユニットを押す（スライドさせる）という簡単な操作でもって、上記スライド方向に関して上記本体と上記カフユニットとを着脱可能にロックできる。これにより、この血圧計を一体に構成できる。
【００２４】
一実施形態の血圧計では、上記ロック部は、ロックの完了を表す音を生ずるように構成されていることを特徴とする。
【００２５】
この一実施形態の血圧計では、サービスマン等は、上記ロック部によるロックの完了を表す音を聞くことによって、上記本体に上記カフユニットが正しく装着されたことを知ることができる。この結果、サービスマン等は、この血圧計のセットアップを確実に進めてゆくことができる。
【００２６】
一実施形態の血圧計では、上記カバーの血圧測定時に被測定者に面して配される前面側の端面は、上記カフ構造体の前面側の端面を覆うように、円環状になっていることを特徴とする。
【００２７】
この一実施形態の血圧計では、セットアップされた状態で、上記カフ構造体は上記カバーと上記スライド受け部とによって覆われ、特に、上記カフ構造体の前面側の端面は上記カバーの前面側の端面によって覆われる。したがって、例えば不具合によって上記カフ構造体が交換されたとしても、セットアップされた状態の外観からは、その交換されたことをユーザは認識できない。したがって、ユーザに対して違和感を与えることがない。
【００２８】
一実施形態の血圧計では、
上記本体は、
この本体に上記カフユニットが装着された状態で、
上記ポンプから上記流体袋に流体を供給して、上記カフユニットに挿入された被測定部位を圧迫する制御を行う圧力制御部と、
上記流体の圧力に基づいて血圧を算出する血圧算出部と
を備えたことを特徴とする。
【００２９】
この一実施形態の血圧計では、血圧測定時には、圧力制御部が、上記本体に搭載された上記ポンプから上記流体袋に流体を供給して上記カフユニットに挿入された被測定部位を圧迫する制御を行う。上記カフ構造体（流体袋を含む。）の加圧過程または減圧過程で、血圧算出部が、上記流体の圧力に基づいて血圧を算出する（オシロメトリック法）。したがって、被測定者にとって簡単に血圧測定が行われる。
【発明の効果】
【００３０】
以上より明らかなように、この開示の血圧計によれば、部品交換が簡単に行われ、部品交換が行われたとしてもユーザに対して違和感を与えることがない。
【図面の簡単な説明】
【００３１】
【図１】この発明の一実施形態の血圧計を前方斜め上方から見たところを示す図である。
【図２】上記血圧計を後方斜め上方から見たところを示す図である。
【図３】上記血圧計を右側方から見たところを示す図である。
【図４】上記血圧計をなす本体とカフユニットとが分離された状態を示す図である。
【図５】上記カフユニットをなすカフ構造体とカバーとが分離された状態を示す図である。
【図６】上記カフ構造体に上記カバーを着脱する仕方を説明する図である。
【図７】上記カバーの内側を示す図である。
【図８】図８（Ａ）は、上記カフユニットが中心軸に沿って切断されたときの断面を示す図である。図８（Ｂ）は、図８（Ａ）における、上記カフ構造体と上記カバーとを係合する第１係合部を拡大して示す図である。
【図９】図９（Ａ）は、上記血圧計を右側方から見たときの断面を示す図である。図９（Ｂ）は、図９（Ａ）における、上記本体と上記カフユニットとを係合するロック部を拡大して示す図である。
【図１０】図１０（Ａ）は、上記本体のスライド受け部に上記カフユニットが装着された状態を示す図である。図１０（Ｂ）は、上記スライド受け部から上記カフユニットを取り外す仕方を説明する図である。
【図１１】上記本体（の上記スライド受け部）から上記カフユニットを取り外す仕方を説明する図である。
【図１２】上記本体の、上記スライド受け部のスライド終端側に相当する部位に設けられた第１の流体コネクタを示す図である。
【図１３】上記カフ構造体の外周面の上部に設けられた、上記カバーを装着するときの向きを表すマークを示す図である。
【図１４】血圧測定時における上記カフ構造体の動作を示す図である。
【図１５】上記本体に上記カフユニットが装着された状態の上記血圧計の制御系のブロック構成を示す図である。
【図１６】上記血圧計における血圧測定の動作フローを示す図である。
【発明を実施するための形態】
【００３２】
以下、この発明の実施の形態を、図面を参照しながら詳細に説明する。
【００３３】
（本体の概略構成）
図１は、この発明の一実施形態の血圧計（符号１で示す。）を前方斜め上方から見たところを示している。図２は、血圧計１を後方斜め上方から見たところを示している。また、図３は、血圧計１を右側方から見たところを示している。なお、これらの図１〜３（および後述の図４，９，１１）中には、理解の容易のために、ＸＹＺ直交座標系を併せて示している。Ｘ軸は前後方向、Ｙ軸は左右方向、Ｚ軸は上下方向に向けられている。図１〜３に示すように、血圧計１は、大別して、本体２と、カフ３と、アームレスト９とを備えている。この血圧計１は、被測定者の被測定部位としての上腕の血圧を測定するように設計されている。
【００３４】
本体２は、コーナが丸くされた箱状の外形を有している。本体２の底面２ｂは略平坦で、図示しない水平面（ＸＹ平面に沿った台のような面）上に置かれている。本体２の上面２ａは、略平坦で、前方から後方へ（−Ｘ方向へ）向かって次第に高さが高く（Ｚ座標が大きく）なる態様で傾斜している。
【００３５】
本体２の上面２ａのうち、右側前部には、略円筒状のカフ３が配置されている。カフ３の中心軸（すなわち、後述のスライド受け部４の中心軸）Ｃは、この例では、前方から後方へ（−Ｘ方向へ）向かって次第に高さが低く（Ｚ座標が小さく）なる態様で傾斜している。
【００３６】
本体２の上面２ａのうち、右側後部には、アームレスト９が配置されている。アームレスト９は、上方へ開いた略円弧状の断面を有し、カフ３の後面側の開口から、本体２の上面２ａの傾斜よりも急な傾斜で略ストレートに本体２の後方へ延在している。血圧測定時には、被測定者が本体２の前方に座り、カフ３の前面側（被測定者に面する側）から後面側へ腕を通すことによって、被測定者の上腕がカフ３内に位置し、前腕がアームレスト９上に置かれた状態になることが予定されている。
【００３７】
本体２の上面２ａのうち、左側前部には、ユーザ（主に被測定者。以下同様。）が左手で測定開始または停止を指示するための測定開始／停止スイッチ１３Ａと、ユーザが血圧測定結果の印刷を指示するためのプリント指示スイッチ１４とが配置されている。本体２の上面２ａのうち、左側後部には、血圧測定結果を表示するための表示器（この例では、ＬＣＤ（液晶ディスプレイ）からなる）１１が配置されている。なお、表示器１１は、表示画面が被測定者に正対するように、本体２の上面２ａに立設されていてもよい。また、本体２の上面２ａのうち、アームレスト９よりもさらに右側には、ユーザが右手で測定開始または停止を指示するための測定開始／停止スイッチ１３Ｂが配置されている。２つの測定開始／停止スイッチ１３Ａ，１３Ｂは、それぞれ、被測定者がカフ３に右上腕、左上腕を通して測定するときの便宜のために設けられている。
【００３８】
カフ３は、本体２に設けられたスライド受け部４と、このスライド受け部４に着脱可能に装着される円筒状のカフユニット５とによって構成されている。
【００３９】
図４に示すように、スライド受け部４は、上方へ開いた円弧状（この例では、半円状）断面を有する前面側部分４ａと、この前面側部分４ａの後方に連なり、前面側部分４ａの円弧状断面と同心（中心軸Ｃ）の円形断面を有する後面側部分４ｆとを、一体に含んでいる。スライド受け部４は、この例では、ＡＢＳ（アクリロニトリル・ブタジエン・スチレン）樹脂からなっている。
【００４０】
前面側部分４ａの前縁４ａｅは、この例では上方へ開いた半円状になっている。前面側部分４ａの両側の上縁４ａ１，４ａ２は、概ね直線状になっている。後面側部分４ｆの前縁４ｆｅは、この例では下方へ開いた半円状になっている。前面側部分４ａの前縁４ａｅの左右の上端と、両側の上縁４ａ１，４ａ２の前端とは、それぞれアール（曲率が設けられた部分）ｒを介して連なっている。また、後面側部分４ｆの前縁４ｆｅの左右の下端と、両側の上縁４ａ１，４ａ２の後端とは、それぞれアールｒを介して連なっている。結果として、スライド受け部４のカフユニット５（後述のカバー６）に対する境界線４ｘは、１本の連続した環状の線になっている。なお、スライド受け部４には、境界線４ｘに沿って、カフユニット５に対する重ねしろ４ｘ′が設けられている。
【００４１】
このスライド受け部４（の前面側部分４ａ）は、中心軸Ｃ（前面側部分４ａの円弧状断面に垂直な方向に延びている）に沿ってカフユニット５をスライド可能に受けるようになっている。この例では、スライド受け部４は、カフユニット５がスライドされるスライド方向Ａ１，Ａ２（図３参照）に関して、スライド終端Ａ１ｆ側へ向かって次第に高さが低く（Ｚ座標が小さく）なる態様で傾斜している。これにより、既述のカフ３の傾斜が実現されている。
【００４２】
この例では、本体２に対して、スライド受け部４は、スライド終端Ａ１ｆ側の下部で、図示しないヒンジ（回動軸）によって、予め定められた角度範囲（例えば、水平０°から４０°程度までの範囲）内で、回動可能に取り付けられている。これにより、血圧測定を行おうとする被測定者は、自らの体型に合わせて、スライド受け部４、したがってカフ３の傾斜角を調節することができる。
【００４３】
このスライド受け部４の後面側部分４ｆの上部の内側には、ロック部Ｌの一部をなすｈ状突起４６が設けられている。ロック部Ｌについては、図９（Ａ），（Ｂ）を用いて後述する。
【００４４】
また、図１２に示すように、スライド受け部４のうちスライド終端Ａ１ｆ側に相当する部位に、第１の流体コネクタとしてのメス形の流体コネクタ５１，５２，５３が並んで設けられている。これらの流体コネクタ５１，５２，５３は、後方で図示しない可撓性エアチューブを介して、本体２内に設けられた後述のポンプに連通している。これらの流体コネクタ５１，５２，５３には、前方からカフユニット５の後述の流体コネクタ８１，８２，８３（図６参照）がそれぞれ対応して連結される。図１２に示すように、流体コネクタ５２と流体コネクタ５３との間に相当する部位には、カフユニット５をスライド受け部４に対して位置決めするための円筒状突起５４が前方へ突出して設けられている。
【００４５】
（カフユニット）
図５に示すように、カフユニット５は、上腕９０が挿入されるように円筒状をなすカフ構造体７と、このカフ構造体７と一体になるように着脱可能に装着されるカバー６とによって構成されている。
【００４６】
カフ構造体７は、円筒状のプラスチック材（例えば、ポリ塩化ビニル）からなるベース部材７０を備えている。図８（Ａ）（カフユニット５の中心軸Ｃ１に沿った断面を示す。）中に示すように、このベース部材７０の内周面に沿って、カーラ巻付用空気袋７９、カーラ７８、測定用空気袋７７、内カバー７６Ｂおよび外カバー７６Ａが順に設けられている。この例では、カーラ巻付用空気袋７９と測定用空気袋７７とが流体袋に相当する。
【００４７】
外カバー７６Ａは、図示しない襞を有する円筒状の伸縮可能な布からなっている。内カバー７６Ｂは、測定時に上腕９０が痛くならないように外カバー７６Ａよりも厚い円筒状のクッション材（例えば、発砲スポンジ材）からなっている。外カバー７６Ａおよび内カバー７６Ｂは、ベース部材７０に対して着脱可能になっている。例えば、外カバー７６Ａは、汚れたら取り外されて洗濯され、それから再装着され得る。
【００４８】
カーラ巻付用空気袋７９は、伸縮可能な樹脂（例えば、ポリウレタン）からなっている。図１４（Ａ）（カフ３の中心軸Ｃに対して垂直な断面、すなわち、本体２に装着されたカフユニット５の中心軸Ｃ１に対して垂直な断面を示す。）中に示すように、カーラ巻付用空気袋７９は、この例では、ベース部材７０の内周面に沿って、６つに区分して設けられている。
【００４９】
カーラ７８は、適度の可撓性を有する樹脂（例えば、ポリプロピレン）からなり、展開状態では平板状であるが、図１４（Ａ）の状態（自然状態）では上腕９０を取り巻く略環状の形状をもち、周方向の端部同士がオーバラップするように作製されている。
【００５０】
測定用空気袋７７は、カーラ巻付用空気袋７９と同様に、伸縮可能な樹脂（例えば、ポリウレタン）からなっている。この測定用空気袋７７は、カーラ７８の内周面に沿って、上腕９０の略３分の２周以上を取り巻くことが可能な長さ（周方向寸法）に設定されている（ただし、図１４（Ａ）の状態では、測定用空気袋７７の周方向の端部同士が比較的大きく離れている。）。
【００５１】
図６に示すように、カフ構造体７の後面７ｆ側の下部には、第２の流体コネクタとしてのオス形の流体コネクタ８１，８２，８３が並んで設けられている。流体コネクタ８１は、ベース部材７０の外周面７ａに沿って配置されたエアチューブ８５を介して測定用空気袋７７に連通している。流体コネクタ８２，８３は、ベース部材７０の外周面７ａに沿って配置されたエアチューブ８６，８７（図５参照）を介してカーラ巻付用空気袋７９に連通している。図６に示すように、流体コネクタ８２と流体コネクタ８３との間に相当する部位には、カフユニット５を本体２に対して位置決めするための十字形突起８４が後方へ突出して設けられている。
【００５２】
図５および図６に示すように、カフ構造体７（ベース部材７０）の外周面７ａには、その上部に、カフ構造体７の軸方向（中心軸Ｃ１が延びる方向）に関してカフ構造体７とカバー６とをロックするための第１係合部Ｅ１の一部をなすＬ状突起７１が設けられている。図８（Ａ）中に示すように、このＬ状突起７１は、ベース部材７０の外周面７ａに径方向外向きに立設された略矩形の突起板部７１ａと、この突起板部７１ａの先端から概ね軸方向に沿って後面７ｆ側へ延在する略矩形の平行板部７１ｂとを含んでいる。この平行板部７１ｂの外面（カバー６に対向する側の面）７１ｕには、径方向外向き突起した係合凸部７１ｐが設けられている。この係合凸部７１ｐは、図８（Ｂ）中に拡大して示すように、前面７ｅ側から後面７ｆ側へ向かって、外面７１ｕのレベルから次第に高さが高くなる態様で傾斜した傾斜面７１ｐ１と、この傾斜面７１ｐ１の頂と外面７１ｕのレベルとを径方向につなぐ垂直面７１ｐ２とを有している。なお、平行板部７１ｂの内面（ベース部材７０に対向する側の面）７１ｖには、径方向内向きに突起した規制突起７１ｓが設けられている。この規制突起７１ｓは、平行板部７１ｂの径方向内向きへの撓みを、カフ構造体７とカバー６とをロックし又は解除するのに必要十分な程度までに規制するために設けられている。
【００５３】
また、図５および図６に示すように、カフ構造体７の外周面７ａには、その上部に、カフ構造体７の径方向Ｒおよび周方向θに関してカフ構造体７とカバー６との間の相対的移動を規制するための第２係合部Ｅ２（図６参照）の一部をなすリブ７２が設けられている。このリブ７２は、径方向外向きに突起した板状をなしている。また、カフ構造体７の外周面７ａのうち、前面７ｅ側から見て左側の側部（図５参照）には、第２係合部Ｅ２の一部をなす上下一対のガイドリブ７３Ａ，７３Ｂが径方向外向きに突起して設けられている。ガイドリブ７３Ａ，７３Ｂ同士の上下の隙間は、前面７ｅ側から後面７ｆ側へ向かって前半部では次第に狭くなり、後半部では一定になっている。同様に、カフ構造体７の外周面７ａのうち、前面７ｅ側から見て右側の側部（図６参照）には、第２係合部Ｅ２の一部をなす上下一対のガイドリブ７４Ａ，７４Ｂが径方向外向きに突起して設けられている。ガイドリブ７４Ａ，７４Ｂ同士の上下の隙間は、前面７ｅ側から後面７ｆ側へ向かって前半部では次第に狭くなり、後半部では一定になっている。
【００５４】
図５および図６に示すように、カバー６は、下方へ開いた円弧状（この例では、半円状）断面を有する後面側部分６ａと、この後面側部分６ａの前方に連なり、後面側部分６ａの円弧状断面と同心（図５中に示す中心軸Ｃ２）の円形断面を有する前面側部分（被測定者に面する側の部分）６ｅとを、一体に含んでいる。カバー６は、スライド受け部４と同様に、この例ではＡＢＳ樹脂からなっている。
【００５５】
後面側部分６ａの後縁６ａｆは、この例では下方へ開いた半円状になっている。後面側部分６ａの両側の下縁６ａ１，６ａ２は、概ね直線状になっている。前面側部分６ｅの後縁６ｅｆは、この例では上方へ開いた半円状になっている。後面側部分６ａの後縁６ａｆの左右の上端と、両側の下縁６ａ１，６ａ２の後端とは、それぞれアールｒを介して連なっている。また、前面側部分６ｅの後縁６ｅｆの左右の上端と、両側の下縁６ａ１，６ａ２の前端とは、それぞれアールｒを介して連なっている。結果として、カバー６のスライド受け部４に対する境界線６ｘは、スライド受け部４の境界線４ｘと一致する１本の連続した環状の線になっている。したがって、図１〜図３に示すように血圧計１がセットアップされた状態では、カバー６とスライド受け部４との間に隙間が生じない。
【００５６】
この例では、カバー６の前面側部分６ｅ、特に、血圧測定時に被測定者に面して配される前面側の端面６ｅｅは、カフ構造体７の前面側の端面７ｅｅを覆うように、円環状になっている。したがって、例えば図１に示すように血圧計１がセットアップされた状態で、カフ構造体７はカバー６とスライド受け部４とによって覆われ、特に、カフ構造体７の前面側の端面７ｅｅはカバー６の前面側の端面６ｅｅによって覆われる。したがって、例えば不具合によってカフ構造体７が交換されたとしても、セットアップされた状態の外観からは、その交換されたことをユーザは認識できない。したがって、ユーザに対して違和感を与えることがない。
【００５７】
図７に示すように、カバー６の内周面には、軸方向（中心軸Ｃ２が延びる方向）に沿って、複数のリブ６１，６１，６３，６４，…が設けられている。これらのリブ６１，６１，６３，６４，…は、径方向内向きに突起した板状をなしている。
【００５８】
カバー６の内周面のうち上部に設けられた互いに平行な一対のリブ６１，６１は、カフ構造体７とカバー６とをロックするための第１係合部Ｅ１の一部をなすとともに、カフ構造体７の径方向Ｒおよび周方向θに関してカフ構造体７とカバー６との間の相対的移動を規制するための第２係合部Ｅ２の一部をなすように設計されている。また、カバー６の内周面のうち左右の側部に設けられたリブ６４，６３も、カフ構造体７の径方向Ｒおよび周方向θに関してカフ構造体７とカバー６との間の相対的移動を規制するための第２係合部Ｅ２の一部をなすように設計されている。
【００５９】
詳しくは、図８（Ｂ）中に拡大して示すように、各リブ６１の尾根面６１ｂには、上述のカフ構造体７のＬ状突起７１の係合凸部７１ｐと対応すべき位置（カフ構造体７にカバー６が装着された状態で対応する位置）に、径方向外向きに窪んだ係合凹部６１ｑが設けられている。係合凹部６１ｑは、前面７ｅ側から後面７ｆ側へ向かって、尾根面６１ｂのレベルから次第に窪む態様で傾斜した傾斜面６１ｑ３と、この傾斜面６１ｑ３に連なり尾根面６１ｂと略平行な底面６１ｑ２と、この底面６１ｑ２のレベルと尾根面６１ｂのレベルとを径方向につなぐ垂直面６１ｑ１とを有している。係合凹部６１ｑの寸法は、Ｌ状突起７１の係合凸部７１ｐを収容可能な寸法に設定されている。
【００６０】
図６および図８（Ａ）中に矢印Ａ５で示す向きに、カフ構造体７の外周面７ａの上半分に沿って、前面７ｅ側から後面７ｆ側へ向かって、カバー６がスライドされると、図８（Ｂ）中に拡大して示すように、リブ６１がＬ状突起７１に対してスライドする。その際、まずリブ６１の後端６１ｆに対して係合凸部７１ｐの傾斜面７１ｐ１が当接して、Ｌ状突起７１の平行板部７１ｂが径方向内向きに撓む。さらに、リブ６１の尾根面６１ｂが係合凸部７１ｐの頂を擦りながら、リブ６１がＬ状突起７１に対して矢印Ａ５で示す向きにスライドされると、リブ６１の係合凹部６１ｑの垂直面６１ｑ１をＬ状突起７１の係合凸部７１ｐの垂直面７１ｐ２が越える。これにより、係合凹部６１ｑに係合凸部７１ｐが収容されて、第１係合部Ｅ１として働き、カフ構造体７の軸方向に関してカバー６が着脱可能に係合してロックされる。この時、垂直面６１ｑ１と垂直面７１ｐ２の形状がスライド方向に対して垂直になっているおかげで、Ｌ状突起７１の平行板部７１ｂの撓みが急に解消される。この結果、リブ６１の尾根面６１ｂに対して、自然状態に復帰しようとするＬ状突起７１の平行板部７１ｂの外面７１ｕが衝突して、ロックの完了を表す「カチッ」という音を生ずる。したがって、サービスマン等は、第１係合部Ｅ１によるその「カチッ」という音を聞くことによって、カフ構造体７にカバー６が正しく装着されたことを知ることができる。この結果、サービスマン等は、この血圧計１のセットアップを確実に進めてゆくことができる。
【００６１】
また、図６中に矢印Ａ５で示す向きに、カフ構造体７の外周面７ａの上半分に沿って、前面７ｅ側から後面７ｆ側へ向かって、カバー６がスライドされると、カフ構造体７の外周面７ａの上部に設けられたリブ７２が、カバー６の内周面の上部に設けられた一対のリブ６１，６１の間の隙間に入る。これとともに、カフ構造体７の外周面７ａの（前面７ｅ側から見て）左側の側部に設けられた上下一対のガイドリブ７４Ａ，７４Ｂの間の隙間、右側の側部に設けられた上下一対のガイドリブ７３Ａ，７３Ｂ（図５参照）の間の隙間に、それぞれ、カバー６の内周面のうち左右の側部に設けられたリブ６４，６３（図６参照）が入る。これにより、第２係合部Ｅ２が機能して、カフ構造体７の径方向Ｒおよび周方向θに関してカフ構造体７とカバー６との間の相対的移動が規制される。ここで、既述のように、一対のガイドリブ７４Ａ，７４Ｂ同士の上下の隙間は、前面７ｅ側から後面７ｆ側へ向かって前半部では次第に狭くなり、後半部では一定になっている。同様に、一対のガイドリブ７３Ａ，７３Ｂ同士の上下の隙間は、前面７ｅ側から後面７ｆ側へ向かって前半部では次第に狭くなり、後半部では一定になっている。したがって、一対のガイドリブ７４Ａ，７４Ｂ、一対のガイドリブ７３Ａ，７３Ｂは、それぞれ、リブ６４，６３を円滑に案内して、各隙間に収容することができる。
【００６２】
これにより、サービスマン等は、カフ構造体７の外周面７ａの上半分に沿ってカバー６をスライドさせるという簡単な操作でもって、カフ構造体７にカバー６が一体になるように着脱可能に装着して、カフユニット５を一体に構成できる。
【００６３】
逆に、カフ構造体７からカバー６を取り外す際には、図６中に矢印Ａ３で示す向き（径方向内向き）に、Ｌ状突起７１の平行板部７１ｂの後部（図８（Ｂ）中に示すリブ６１の後端６１ｆよりも後方へ突出している部分を指す。以下、これを「Ｌ状突起７１の後部」と呼ぶ。）が押される。これにより、図８（Ｂ）中に示す係合凹部６１ｑから係合凸部７１ｐが出て、第１係合部Ｅ１による軸方向のロックが解除される。続いて、そのロックが解除された状態で、図６および図８（Ａ）中に矢印Ａ４で示す向きに、カフ構造体７の外周面７ａの上半分に沿って、後面７ｆ側から前面７ｅ側へ向かって、カバー６がスライドされる。すると、リブ７２がリブ６１，６１の間の隙間から出るとともに、ガイドリブ７４Ａ，７４Ｂの間の隙間、ガイドリブ７３Ａ，７３Ｂの間の隙間から、それぞれリブ６４，６３が出て、第２係合部Ｅ２による径方向Ｒおよび周方向θの相対的移動規制が解除される。これにより、図５に示すようにカフ構造体７からカバー６が取り外される。
【００６４】
（本体に対するカフユニットの着脱）
図６および図８（Ａ）中に示すように、カフ構造体７（ベース部材７０）の後面７ｆ側の上部には、後述するロック部Ｌの一部をなす断面略矩形状の横バー部７５が設けられている。この横バー部７５は、カフ構造体７の後面７ｆ側に設けられた円環状のフランジ部７ｆｆ（図６参照）によって支持されている。横バー部７５とＬ状突起７１（の平行板部７１ｂ）との間には、軸方向の隙間７ｗ１が設けられている。また、横バー部７５とベース部材７０の外周面７ａとの間には、次に述べるｈ状突起４６（の可動板部４６ｂ）を通すための径方向の隙間７ｗ２が設けられている。
【００６５】
図９（Ａ）に示すように、スライド受け部４の後面側部分４ｆの上部の内側には、ロック部Ｌの一部をなすｈ状突起４６が設けられている。ｈ状突起４６は、概ね、カフユニット５がスライドされるスライド方向Ａ１，Ａ２に沿って傾斜して設けられている。図９（Ｂ）に拡大して示すように、ｈ状突起４６は、スライド受け部４の中心軸Ｃ（スライド方向Ａ１，Ａ２）に沿って設けられた可動板部４６ｂと、この可動板部４６ｂの上面４６ｕの略中央（図９（Ｂ）において）４６ｃから径方向外向きに延在する垂直板部４６ｄと、この垂直板部４６ｄの上端を支持する支持板部４６ａとを含んでいる。支持板部４６ａは、スライド受け部４の後面側部分４ｆの一部からなり、後面側部分４ｆの他の部分（ｈ状突起４６以外の部分）に対して位置および姿勢が維持されている。可動板部４６ｂは垂直板部４６ｄのみによって支持され、垂直板部４６ｄは支持板部４６ａのみによって支持されている。また、可動板部４６ｂの前端には、径方向外向き突起した係合凸部４６ｐが設けられている。この係合凸部４６ｐは、前方から後方へ向かって、次第に高さが高くなる態様で傾斜した傾斜面４６ｐ１と、この傾斜面４６ｐ１の頂と上面４６ｕのレベルとを径方向につなぐ垂直面４６ｐ２とを有している。なお、係合凸部４６ｐと垂直板部４６ｄとの間の軸方向の間隔は、横バー部７５を収容できるように、横バー部７５の軸方向寸法よりも若干大きく設定されている。
【００６６】
本体２（スライド受け部４）にカフユニット５を装着する際には、まず、図１１中に矢印Ａ７で示すように、カフユニット５が本体２のスライド受け部４上に置かれる。続いて、スライド受け部４の中心軸Ｃに沿って図９（Ａ）中に矢印Ａ１で示す向きに（つまり、スライド終端Ａ１ｆ側へ向かって）カフユニット５がスライドされると、図９（Ｂ）中に示す横バー部７５の内面７５ｂと後端面７５ｆとが作るコーナがｈ状突起４６の係合凸部４６ｐの傾斜面４６ｐ１に当接して、ｈ状突起４６の可動板部４６ｂと垂直板部４６ｄが撓んで係合凸部４６ｐが径方向内向きに変位する。さらに、横バー部７５の内面７５ｂが係合凸部４６ｐの頂を擦りながら、横バー部７５がｈ状突起４６に対して矢印Ａ１で示す向きにスライドされると、横バー部７５の前端面７５ｅがｈ状突起４６の係合凸部４６ｐの垂直面４６ｐ２を越える。これにより、軸方向の隙間７ｗ１に係合凸部４６ｐが収容されるとともに、係合凸部４６ｐと垂直板部４６ｄとの間に横バー部７５が収容されて、ロック部Ｌとして働き、カフユニット５が軸方向に関して本体２（スライド受け部４）に着脱可能に係合してロックされる。この時、前端面７５ｅと垂直面４６ｐ２の形状がスライド方向に対して垂直になっているおかげで、ｈ状突起４６の可動板部４６ｂと垂直板部４６ｄの撓みが急に解消される。この結果、横バー部７５の内面７５ｂに対して、自然状態に復帰しようとするｈ状突起４６の可動板部４６ｂの上面４６ｕ（略中央４６ｃよりも前方の部分）が衝突して、ロックの完了を表す「カチッ」という音を生ずる。したがって、サービスマン等は、ロック部Ｌによるその「カチッ」という音を聞くことによって、本体２にカフユニット５が正しく装着されたことを知ることができる。この結果、サービスマン等は、この血圧計１のセットアップを確実に進めてゆくことができる。
【００６７】
このとき、例えば図１０（Ａ）、図１０（Ｂ）中に示したスライド受け部４の前面側部分（上方へ開いた円弧状断面を有する）４ａの両側の上縁４ａ１，４ａ２が、カバー６の後面側部分（下方へ開いた円弧状断面を有する）６ａの両側の下縁６ａ１，６ａ２に当接してカフユニット５の重み（この例では、約１ｋｇ）を支える。したがって、例えばこの血圧計１をセットアップするサービスマン等は、スライド時にカフユニット５の重みを自身の手で支える必要が無く、カフユニット５をスライド終端Ａ１ｆ側へ向かって押す（スライドさせる）だけで、カフユニット５を楽に装着できる。特に、この例では、スライド受け部４はスライド終端Ａ１ｆ側へ向かって次第に高さが低くなる態様で傾斜している。したがって、サービスマン等は、カフユニット５への重力を利用できるので、カフユニット５をさらに楽に装着できる。
【００６８】
また、スライド受け部４に沿ってスライド終端Ａ１ｆ側へ向かってカフユニット５がスライドして装着されると、カフユニット５（カフ構造体７）の後面７ｆ側の下部に設けられた十字形突起８４（図６参照）が、本体２のスライド受け部４のスライド終端Ａ１ｆ側に相当する部位に設けられた円筒状突起５４（図１２参照）に嵌合する。これにより、カフユニット５がスライド受け部４の径方向に関して位置決めされる。これとともに、カフユニット５（カフ構造体７）の後面７ｆ側の下部に設けられた流体コネクタ８１，８２，８３（図６参照）が、本体２のスライド受け部４のスライド終端Ａ１ｆ側に相当する部位に設けられた流体コネクタ５１，５２，５３（図１２参照）に、流体流通可能かつ着脱可能に嵌合して接続される。
【００６９】
したがって、サービスマン等は、この血圧計１のセットアップを簡単に行うことができる。すなわち、サービスマン等は、簡単な操作でもって、本体２（スライド受け部４）にカフユニット５を着脱可能に装着して、この血圧計１を一体に構成できる。
【００７０】
このようにしてセットアップされた血圧計１では、上方へ開いた円弧状断面を有するスライド受け部４に円筒状のカフユニット５が受けられた装着状態になっている。したがって、スライド受け部４とカフユニット５との間にスライド方向Ａ１，Ａ２に対して垂直な方向の外力が加わり難く、捻れが発生し難い。したがって、流体コネクタ５１，５２，５３と流体コネクタ８１，８２，８３との間の流体流通可能な接続の信頼性が高まる。
【００７１】
逆に、本体２（スライド受け部４）からカフユニット５を取り外す際には、図１０（Ａ）中に矢印Ａ０で示す向き（径方向外向き）に、ｈ状突起４６の後部（図９（Ｂ）中に示す可動板部４６ｂの略中央４６ｃよりも後方の部分を指す。以下同様。）が押される。これにより、図９（Ｂ）中に示すｈ状突起４６の可動板部４６ｂと垂直板部４６ｄ（主に後者）が撓んで係合凸部４６ｐが径方向内向きに変位する。この結果、隙間７ｗ１から係合凸部４６ｐが出て、ロック部Ｌによる軸方向のロックが解除される。続いて、そのロックが解除された状態で、図９（Ａ）および図１０（Ｂ）中に矢印Ａ２で示す向き（装着時の向きとは逆向き）に、スライド受け部４に対してカフユニット５がスライドされる。このとき、装着時と同様に、スライド受け部４の前面側部分４ａの両側の上縁４ａ１，４ａ２が、カバー６の後面側部分６ａの両側の下縁６ａ１，６ａ２に当接してカフユニット５の重みを支える。したがって、サービスマン等は、スライド時にカフユニット５の重みを自身の手で支える必要が無く、カフユニット５を楽にスライドさせることができる。
【００７２】
また、装着時の向きとは逆向きに、スライド受け部４に対してカフユニット５がスライドされると、カフユニット５（カフ構造体７）の後面７ｆ側の下部に設けられた十字形突起８４（図６参照）が、本体２のスライド受け部４のスライド終端Ａ１ｆ側に相当する部位に設けられた円筒状突起５４（図１２参照）から離脱する。これとともに、カフユニット５（カフ構造体７）の後面７ｆ側の下部に設けられた流体コネクタ８１，８２，８３（図６参照）が、本体２のスライド受け部４のスライド終端Ａ１ｆ側に相当する部位に設けられた流体コネクタ５１，５２，５３（図１２参照）から離脱する。
【００７３】
この後、図１１中に矢印Ａ６で示すように、カフユニット５は持ち上げられて、本体２（スライド受け部４）から取り外される。
【００７４】
このように、サービスマン等は、この血圧計１の分解を簡単に行うことができる。すなわち、サービスマン等は、簡単な操作でもって、本体２（スライド受け部４）からカフユニット５を取り外すことができる。
【００７５】
（制御系のブロック構成）
図１５は、本体２にカフユニット５が装着された状態の血圧計１の制御系のブロック構成を示している。図１５中に示すように、カフユニット５内の測定用空気袋７７は、流体コネクタ８１，５１を介して、本体２内の測定用エア系２０に接続されている。カフユニット５内のカーラ巻付用空気袋７９は、流体コネクタ８２，８３，５２，５３を介して、本体２内のカーラ巻付用エア系３０に接続されている。また、測定用エア系２０およびカーラ巻付用エア系３０の動作は、それぞれＣＰＵ（Central Processing Unit；中央処理装置）４０によって制御される。
【００７６】
測定用エア系２０は、エアポンプ２１と、エアバルブ２２と、圧力センサ２３とを含んでいる。エアポンプ２１は、測定用空気袋７７内を加圧するための手段であり、ＣＰＵ４０からの指令を受けたエアポンプ駆動回路２６によって駆動され、測定時において測定用空気袋７７内の圧力が所定の圧力となるように、流体としての空気を送り込む。
【００７７】
エアバルブ２２は、測定用空気袋７７内の圧力を維持したり、あるいは減圧したりするための手段であり、ＣＰＵ４０からの指令を受けたエアバルブ駆動回路２７によってその開閉状態が制御され、測定時においてエアポンプ２１によって高圧状態となった測定用空気袋７７内の圧力の維持および減圧を行うとともに、測定終了後において測定用空気袋７７内を大気圧に復帰させる。
【００７８】
圧力センサ２３は、測定用空気袋７７内の圧力を検出するための手段であり、測定時において時々刻々と変化する測定用空気袋７７内の圧力を検出し、その検出値に応じた信号を増幅器２８に対して出力する。増幅器２８は、圧力センサ２３から出力される信号を増幅し、Ａ／Ｄコンバータ２９に出力する。Ａ／Ｄコンバータ２９は、増幅器２８から出力されたアナログ信号をデジタル化し、ＣＰＵ４０に出力する。
【００７９】
カーラ巻付用エア系３０は、エアポンプ３１と、エアバルブ３２と、圧力センサ３３とを含んでいる。エアポンプ３１は、カーラ巻付用空気袋７９内を加圧するための手段であり、ＣＰＵ４０からの指令を受けたエアポンプ駆動回路３６によって駆動され、測定開始時においてカーラ巻付用空気袋７９内の圧力が所定の圧力となるように、流体としての空気を送り込む。
【００８０】
エアバルブ３２は、カーラ巻付用空気袋７９内の圧力の維持および減圧を行うための手段であり、ＣＰＵ４０からの指令を受けたエアバルブ駆動回路３７によってその開閉状態が制御され、測定時においてエアポンプ３１によって高圧状態となったカーラ巻付用空気袋７９内の圧力の維持を行うとともに、測定終了後においてカーラ巻付用空気袋７９内を大気圧に復帰させる。
【００８１】
圧力センサ３３は、カーラ巻付用空気袋７９内の圧力を検出するための手段であり、測定開始時においてカーラ巻付用空気袋７９内の圧力を検出し、その検出値に応じた信号を増幅器３８に対して出力する。
【００８２】
増幅器３８は、圧力センサ３３から出力される信号を増幅し、Ａ／Ｄコンバータ３９に出力する。Ａ／Ｄコンバータ３９は、増幅器３８から出力されたアナログ信号をデジタル化し、ＣＰＵ４０に出力する。
【００８３】
出力部４２は、この例では、既述の表示器１１と、プリンタ１２とを含んでいる。
【００８４】
操作部４３は、この例では、既述の測定開始／停止スイッチ１３Ａ，１３Ｂと、プリント指示スイッチ１４とを含んでいる。
【００８５】
ＣＰＵ４０は、操作部４３に入力された指令に基づいて測定用エア系２０およびカーラ巻付用エア系３０の制御を行うとともに、測定結果を出力部４２およびメモリ部４１に出力する。なお、メモリ部４１は、測定結果を記憶するための手段である。また、ＣＰＵ４０は、プリント指示スイッチ１４が押されたとき、測定結果をプリンタ１２によって紙（この例では、ロール紙）にプリントアウトさせる。
【００８６】
（血圧測定動作）
図１６は、上述の構成の血圧計１におけるＣＰＵ４０による血圧測定の動作フローを示している。この例では、被測定者がカフユニット５に上腕９０を通した状態で、本体２の操作部４３に設けられた測定開始／停止スイッチ１３Ａまたは１３Ｂを押下することにより、測定動作に移行する。
【００８７】
まず、ステップＳ１において、血圧計１の初期化が行われる。このとき、カフユニット５（カフ構造体７）では、図１４（Ａ）中に示したように、測定用空気袋７７とカーラ巻付用空気袋７９内の圧力はいずれもゼロ（大気圧）になっている。この状態（自然状態）では、カーラ７８の周方向の端部同士がオーバラップし、測定用空気袋７７の周方向の端部同士が比較的大きく離れている。
【００８８】
次に、図１６のステップＳ２において、ＣＰＵ４０が圧力制御部として働いて、エアポンプ３１から流体コネクタ５２，５３，８２，８３を介して、カーラ巻付用空気袋７９に空気を供給する。これにより、カーラ巻付用空気袋７９の加圧が行われる。このとき、カフユニット５（カフ構造体７）では、図１４（Ｂ）中に矢印Ａ１１で示すように、カーラ巻付用空気袋７９が径方向内向きに膨張してカーラ７８を径方向内向きに圧迫する。これにより、矢印Ａ１２で示すようにカーラ７８の周方向の端部同士のオーバラップ寸法が増えて、測定用空気袋７７の周方向の端部同士が接近する。そして、カーラ巻付用空気袋７９内の圧力が所定の圧力に達した時点で、カーラ巻付用空気袋７９の加圧が終了する（ステップＳ３）。この結果、図１４（Ｃ）中に示すように、上腕９０が測定用空気袋７７によって取り巻かれた状態になる。
【００８９】
次に、図１６のステップＳ４において、ＣＰＵ４０が圧力制御部として働いて、エアポンプ２１から流体コネクタ５１，８１を介して、測定用空気袋７７に空気を供給する。これにより、測定用空気袋７７の加圧が行われる。そして、測定用空気袋７７内の圧力が所定の圧力に達した時点で測定用空気袋７７の加圧を終了し、ステップＳ５において、測定用空気袋７７の減圧を開始する。
【００９０】
その後、ステップＳ６において、ＣＰＵ４０は血圧算出部として働いて、圧力センサ２３の出力に基づいて動脈圧脈波（圧力の変動成分）の検出を行い、上記動脈圧脈波の検出データに基づいて血圧値の算出を行う（オシロメトリック法）。血圧値の算出が完了したら、ステップＳ７において、本体２の出力部４２に設けられた表示器１１において血圧値の表示が行われるとともに、ステップＳ８において、カーラ巻付用空気袋７９内および測定用空気袋７７内の大気への開放が行われる。
【００９１】
このように、この血圧計１によれば、被測定者にとって簡単に血圧測定が行われる。なお、血圧の算出は、減圧過程ではなく、加圧過程で行われてもよい。
【００９２】
（部品交換）
長年にわたる使用の結果、例えば流体袋（測定用空気袋７７またはカーラ巻付用空気袋７９）が劣化して、漏気などの不具合が生じた場合、この血圧計１では、部品として、カフユニット５のうちカフ構造体７のみが交換される。
【００９３】
具体的には、まず、図１０（Ａ）に示したように、ｈ状突起４６の後部が矢印Ａ０で示す向き（径方向外向き）に押されて、ロック部Ｌによる軸方向のロックが解除された状態で、図１０（Ｂ）に示したように、矢印Ａ２で示す向き（装着時の向きとは逆向き）にスライド受け部４に対してカフユニット５がスライドされる。このとき、スライド受け部４の前面側部分４ａの両側の上縁４ａ１，４ａ２が、カバー６の後面側部分６ａの両側の下縁６ａ１，６ａ２に当接してカフユニット５の重みを支える。したがって、サービスマン等は、スライド時にカフユニット５の重みを自身の手で支える必要が無く、カフユニット５を楽にスライドさせることができる。この後、図１１中に矢印Ａ６で示したように、カフユニット５は持ち上げられて、本体２（スライド受け部４）から取り外される。
【００９４】
次に、図６中に示したように、Ｌ状突起７１の後部が矢印Ａ３で示す向き（径方向内向き）に押されて、第１係合部Ｅ１による軸方向のロックが解除された状態で、カバー６が矢印Ａ４で示す向きにスライドされる。これに伴って、第２係合部Ｅ２による径方向Ｒおよび周方向θの相対的移動規制も解除される。これにより、カフ構造体７からカバー６が取り外される。取り外し後には、不具合が生じたカフ構造体７は、例えば廃棄処分される。
【００９５】
一方、新品のカフ構造体７が用意される。この新品のカフ構造体７に対して図６中に矢印Ａ５で示した向きにカバー６（元のカバー６）が一体になるように着脱可能に装着されて、新たなカフユニット５が構成される。
【００９６】
次に、取り外し時とは逆の手順で、スライド受け部４の中心軸Ｃに沿って新たなカフユニット５がスライドして装着される。具体的には、新たなカフユニット５が図１１中の矢印Ａ７で示した向きにスライド受け部４上に置かれる。次に、図１０（Ｂ）中に矢印Ａ１で示した向きに、スライド受け部４に対してその新たなカフユニット５がスライドされる。このとき、スライド受け部４の前面側部分４ａの両側の上縁４ａ１，４ａ２が、カバー６の後面側部分６ａの両側の下縁６ａ１，６ａ２に当接してカフユニット５の重みを支える。したがって、この血圧計１をセットアップするサービスマン等は、スライド時にカフユニット５の重みを自身の手で支える必要が無く、カフユニット５をスライド終端Ａ１ｆ側へ向かって押す（スライドさせる）だけで、カフユニット５を楽に装着できる。
【００９７】
このように、この血圧計１では、部品として、カフユニット５のうちカフ構造体７のみが簡単に交換される。セットアップされた状態では、新品のカフ構造体７は、カバー６（元のカバー６）とスライド受け部４とによって覆われる。
【００９８】
ここで、カフユニット５のカバー６（元のカバー６）は再利用される。長年にわたる使用の結果、本体２に退色が生じているとすれば、カバー６（元のカバー６）にも同様に退色が生じているはずである。したがって、本体２とカバー６（元のカバー６）との間の色味の違いは無い。よって、この血圧計１によれば、部品（カフ構造体７）の交換が行われたとしても、ユーザに対して違和感を与えることがない。
【００９９】
（変形例）
なお、図１３に示すように、カフユニット５をなすカフ構造体７の外周面７ａの上部に、カフ構造体７にカバー６が装着される際の相対的なスライドの向きを示すマーク８０を設けてもよい。この例では、マーク８０は、カフ構造体７の後面７ｆ側から前面７ｅ側へ向かう太い矢印の形態になっている。サービスマン等は、カフ構造体７にカバー６を装着する際に、マーク８０を見ることによって、カフ構造体７の外周面７ａの上半分に沿ってカバー６を正しい向きに相対的にスライドさせることができる。すなわち、この例では、サービスマン等は、カバー６に対してカフ構造体７の外周面７ａを、カフ構造体７の前面７ｅ側から潜り込ませてスライドさせるように促される。したがって、サービスマン等は、カフ構造体７にカバー６を正しく、より簡単に装着できる。なお、相対的なスライドの向きを示すマーク８０は、カフ構造体７に設けられるだけでなく、カフ構造体７とカバー６との一方または両方に設けられていてもよい。
【０１００】
この実施形態では、カフユニット５に挿入される被測定部位は、上腕９０であるものとしたが、これに限られるものではない。被測定部位は、手首、指、下肢などであってもよい。
【０１０１】
また、この実施形態では、カフユニット５は、ベース部材７０内に、カーラ巻付用空気袋７９、カーラ７８、測定用空気袋７７を備えたが、これに限られるものではない。カーラ巻付用空気袋７９とカーラ７８を省略して、測定用空気袋７７のみによって被測定部位を圧迫するようになっていてもよい。
【０１０２】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１０３】
１  血圧計
２  本体
３  カフ
４  スライド受け部
５  カフユニット
６  カバー
７  カフ構造体
７０  ベース部材
７７  測定用空気袋
７８  カーラ
７９  カーラ巻付用空気袋
８０  マーク
Ｌ  ロック部
Ｅ１  第１係合部
Ｅ２  第２係合部
【図１】
2019180849.tif 000003
【図２】
2019180849.tif 000004
【図３】
2019180849.tif 000005
【図４】
2019180849.tif 000006
【図５】
2019180849.tif 000007
【図６】
2019180849.tif 000008
【図７】
2019180849.tif 000009
【図８】
2019180849.tif 000010
【図９】
2019180849.tif 000011
【図１０】
2019180849.tif 000012
【図１１】
2019180849.tif 000013
【図１２】
2019180849.tif 000014
【図１３】
2019180849.tif 000015
【図１４】
2019180849.tif 000016
【図１５】
2019180849.tif 000017
【図１６】
2019180849.tif 000018